(57)【要約】【課題】１つのベッドを2人で使用する場合一方の人が入眠し、他方の人が覚醒状態で活動状態にある場合に入眠している人の睡眠を阻害する光、音等を遮断する遮断壁を出し入れ自在に設けることを目的とするものである。【解決手段】ベッドフレーム１にマットレス２を載置し、ベッドフレーム１の長手方向一端に設けられたキャビネット３を具備し、該キャビネット３にマットレス２の上面の頭側空間を幅方向に二分する遮断壁４を出し入れ自在に収容してなる遮断壁付ベッド。【選択図】図１
2007190307.tif 000002
【特許請求の範囲】
【請求項１】
ベッドフレームにマットレスを載置し、ベッドフレームの長手方向一端に設けられたキャビネットを具備し、該キャビネットにマットレスの上面の頭側空間を幅方向に二分する遮断壁を出し入れ自在に収容してなる遮断壁付ベッド。
【請求項２】
請求項１記載の遮断壁付ベッドにおいて、キャビネットの前面の上下にベッドの幅方向に走るレールを有し、遮断壁の左右の上下端部にローラーを有しており、該ローラーがレールにスライド可能に嵌着され、遮断壁は、中央部で屈曲可能なように蝶板により連結され、前方に屈曲突出可能な扉を兼用したものであることを特徴とする。
【請求項３】
請求項１又は２記載の遮断壁付ベッドにおいて、遮断壁の充填材として吸音材を有したことを特徴とする。
【請求項４】
請求項１記載の遮断壁付ベッドにおいて、キャビネットの収納スペースの左右に照明器具を有しているとともに、該収納スペースを左右に仕切る仕切板を有したことを特徴とする。
【発明の詳細な説明】
【技術分野】
【０００１】
本発明は、可動式の遮断壁を有したベッドに関するものである。
【背景技術】
【０００２】
従来よりベッドのヘッドボードとして頭元に小物を置くスペースを確保するためにキャビネットを使用するものはあった。また、特開２００５−２９６３９８号のようにキャビネット部に扉を有したもので、扉が上方に跳ね上がる構造のものもあったが、ベッドとして2人が寝るための幅広（クイーンサイズ・キングサイズ）サイズのものの場合には、2人が同時に入眠し、同時に覚醒することは実生活上まれであり、一方の人は入眠していても他方の人は入眠せず、しばらく読書をしたり、テレビを見たり、音楽を聴いたりと睡眠サイクルが異なることは頻繁に起こってくる。この場合入眠している人にとっては睡眠の妨げとなっていた。  
【特許文献１】特開２００５−２９６３９８号公報
【発明の開示】
【発明が解決しようとする課題】
【０００３】
１つのベッドを2人で使用する場合一方の人が入眠し、他方の人が覚醒状態で活動状態にある場合に入眠している人の睡眠を阻害する光、音等を遮断する遮断壁を出し入れ自在に設けることを目的とするものである。
【課題を解決するための手段】
【０００４】
請求項１の発明は、ベッドフレーム１にマットレス２を載置し、ベッドフレーム１の長手方向一端に設けられたキャビネット３を具備し、該キャビネット３にマットレス２の上面の頭側空間を幅方向に二分する遮断壁４を出し入れ自在に収容してなる遮断壁付ベッドである。
【０００５】
請求項２の発明は、キャビネット３の前面の上下にベッドの幅方向に走るレール５を有し、遮断壁４の左右の上下端部にローラー６を有しており、該ローラー６がレール５にスライド可能に嵌着され、遮断壁４は、中央部で屈曲可能なように蝶板７により連結され、前方に屈曲突出可能な扉を兼用したものであることを特徴とする。
【０００６】
請求項３の発明は、遮断壁４の充填材として吸音材８を有したことを特徴とする。
【０００７】
請求項４の発明は、キャビネット３の収納スペース９の左右に照明器具１０を有しているとともに、該収納スペース９を左右に仕切る仕切板１１を有したことを特徴とする。
【発明の効果】
【０００８】
請求項１の発明によれば、遮断壁４により、マットレス２の上面の頭部空間を左右に二分することで、音や光等の睡眠阻害要因となるものを遮断することができ、1つのベッドを２人で使用する場合において、一方の人が睡眠中であっても、その睡眠を妨げることなく、他方の人は覚醒時間を楽しむことができるとともに、一方の人が鼾のひどい人であったとしても快適にベッドで過ごすことができる。
【０００９】
請求項２の発明によれば、遮断壁４がキャビネット３の扉を兼用したものであり、遮断壁４のローラー６がキャビネット３のレール５にスライド可能に嵌着されているため、遮断壁４を屈曲突出させた状態で左右に移動が可能で、二分される空間スペースを任意に設定することができ、お互いに快適に過ごすことができる。また、キャビネット３の収納スペース９の収納物を通常時には扉をしめてプライバシー保護もでき、収納物の保管にも適したものである。
【００１０】
請求項３の発明によれば、防音効果がさらに高まり、ベッド上でのより快適空間の創出につながる。
【００１１】
請求項４の発明によれば、仕切板１１により照明器具１０の光の遮断効果が高まり、ベッド上での隣接空間への光の漏れが少なくなり、より快適なベッド上の空間が創出できる。
【発明を実施するための最良の形態】
【００１２】
以下、本発明の実施形態を図面に基づいて説明する。
【実施例１】
【００１３】
図１は、本発明の実施形態１における、遮断壁４をキャビネット１から引き出した状態を示す全体斜視図であり、キャビネット３の左右に有した照明器具９の片側のみをONとした状態では、キャビネット３内の仕切板１１と遮断壁４が照明器具１０の光を遮断し、マットレス２の上面の遮断壁４により二分された頭部空間の片側に光が漏れにくくなっている。
【００１４】
図４に示したものは、キャビネット３の部分断面図であり、扉を兼用している遮断壁４はフラッシュ構造をした芯体１２の空間部に吸音材８としてポリエステル綿が使用されており、前面に緩衝材１３としてウレタンフォームが使用されており、全体をビニールレザー１４で被覆している。また、フラッシュ構造をした芯体１２の左右上下端にはめ込まれたローラー６，６´が突出しており、ローラー６，６´はキャビネット３前面上下のベッドの幅方向に走っているレール５，５´に嵌着されている。
【００１５】
扉を兼用している遮断壁４は、幅方向中央部で分離しており、内側面で図８に示すように蝶板７により内側に屈曲可能なように連結されており、図１に示すように遮断壁４をキャビネット１から引き出した状態でマットレス２の上面の頭部空間を左右に二分する仕切りを形成することとなる。
【００１６】
遮断壁４をキャビネット３から引き出した状態においても、ローラー６，６´はキャビネット３前面上下のベッドの幅方向に走っているレール５，５´に嵌着されているものなので、遮断壁４は左右にスライド移動が可能であり、左右に仕切られたマットレス２の上面の頭部空間スペースを調整可能としている。
【００１７】
図２、図３は図１の引き出された遮断壁４がキャビネット３の前面の扉を形成する状態を示す参考図であり、遮断壁４を押込むことにより、遮断壁４の左右上下端にはめ込まれたローラー６，６´が  キャビネット３前面上下のベッドの幅方向に走っているレール５，５´内を左右にスライド移動し、図２のように遮断壁４がくの字状となり、さらに遮断壁４を押込むことにより、図３に示すように、キャビネット３前面を塞ぐ扉状となり、キャビネット３内の収容物を安全かつ清潔に保管できるとともに、プライバシー保護も可能としている。
【００１８】
図５のものはキャビネット３の上側のレール５と遮断壁４の上側ローラー６の嵌着状態を示す部分拡大斜視図であり、ローラー６の下側に嵌着脚１５を有しており、図６に示すように、遮断壁４のフラッシュ構造をした芯体１２の左右上側端部にはめ込まれた固定ケースＡ１６にローラー６の嵌着脚１５を嵌め込み固定するようになっている。
【００１９】
図７のものは、遮断壁４の下側ローラー６とキャビネット３の下側のレール５との嵌着状態を示す部分拡大斜視図であり、レール５に嵌着されたローラー６の上側に嵌着体１７を有し、遮断壁４のフラッシュ構造をした芯体１２の左右下側端部にはめ込まれた固定ケースＢ１８にローラー６の嵌着体１７を嵌め込み固定するようになっている。
【産業上の利用可能性】
【００２０】
以上説明したように、本発明に関わる遮断壁付ベッドは２人で寝る幅広のマットレスを使用したものについて適用できるものである。
【図面の簡単な説明】
【００２１】
【図１】本発明の実施形態１に関わる遮断壁４をキャビネット３から引き出してマットレス面上の頭部空間に仕切りを形成した状態を示す全体斜視図である。
【図２】図１のものの遮断壁４を押込みキャビネット３の扉を形勢する途中を示す全体斜視図である。
【図３】図１のものの遮断壁４を押込みキャビネット３の扉を形勢した状態を示す全体斜視図である。
【図４】図３のもののキャビネット３部分の部分断面図である。
【図５】本発明の実施形態１に関わるキャビネット３の上側のレール５と遮断壁４の上側ローラー６の嵌着状態を示す部分拡大斜視図である。
【図６】本発明の実施形態１に関わる遮断壁４のフラッシュ構造をした芯体１１の左右上側端部にはめ込まれた固定ケースＡ１６にローラー６の嵌着脚１５を嵌め込み固定状態を示す部分拡大奢侈図である。
【図７】本発明の実施形態１に関わる遮断壁４の下側ローラー６とキャビネット３の下側のレール５との嵌着状態を示す部分拡大斜視図である。
【図８】本発明の実施形態１に関わる遮断壁４の蝶板７による連結状態を示す部分拡大斜視図である。
【符号の説明】
【００２２】
１    ベッドフレーム
２    マットレス
３    キャビネット
４    遮断壁
５    レール
６    ローラー
７    蝶板
８    吸音材
９    収納スペース
１０    照明器具
１１    仕切板
【図１】
2007190307.tif 000003
【図２】
2007190307.tif 000004
【図３】
2007190307.tif 000005
【図４】
2007190307.tif 000006
【図５】
2007190307.tif 000007
【図６】
2007190307.tif 000008
【図７】
2007190307.tif 000009
【図８】
2007190307.tif 000010